(57)【要約】【課題】電力を供給するための配線工事が簡易化でき、全体の施工が容易な太陽電池パネルを設けた軒樋構造を提供する。【解決手段】上面開口部を有する軒樋１と、前記軒樋の上面開口部を覆うように配設される平板状の軒樋用カバー２と、太陽電池パネル３と、を有し、前記太陽電池パネル３は前記軒樋用カバー２の上方表面の所定面を覆うように取り付けてなる。前記太陽電池パネル３から電力の供給を受けて所定の機能を行う機能モジュールを内蔵するモジュールボックス８を設け、前記モジュールボックス８を軒樋１と躯体の鼻板６との間の空間に少なくともその一部が位置するよう配設してなる。このため、工事が容易になるとともに、電線が軒樋１と鼻板６の間に配置されて外部に露出することがなくなるので、外観を損なうことがなくなる。さらに、外部から電力を供給することなく、機能モジュールの有する所定の機能を得ることができる。【選択図】　図６
2004143822.tif 000002
【特許請求の範囲】
【請求項１】
上面開口部を有する軒樋と、前記軒樋の上面開口部を覆うように配設される平板状の軒樋用カバーと、太陽電池パネルと、を有し、前記太陽電池パネルは前記軒樋用カバーの上方表面の所定面を覆うように取り付けてなることを特徴とする太陽電池パネルを設けた軒樋構造。
【請求項２】
鼻板固定部と軒樋係止部と軒樋用カバー設置部とを有する軒樋用取付け金具を設け、前記軒樋係止部に軒樋を係止し、前記軒樋用カバー設置部に軒樋用カバーを設置し、前記鼻板固定部を躯体の鼻板に固定してなることを特徴とする請求項１記載の太陽電池パネルを設けた軒樋構造。
【請求項３】
前記太陽電池パネルは、その表面に親水性コーティングが施されていることを特徴とする請求項１又は請求項２記載の太陽電池パネルを設けた軒樋構造。
【請求項４】
前記太陽電池パネルから電力の供給を受けて所定の機能を行う機能モジュールを内蔵するモジュールボックスを設け、前記モジュールボックスを軒樋と躯体の鼻板との間の空間に少なくともその一部が位置するよう配設してなることを特徴とする請求項１乃至請求項３のいずれかに記載の太陽電池パネルを設けた軒樋構造。
【請求項５】
前記軒樋用取付け用金具の下部に係止部を設け、前記モジュールボックスの上部に前記係止部に係止される被係止部を設け、前記モジュールボックスを前記軒樋用取付け用金具に弾性的に係止してなることを特徴とする請求項４記載の太陽電池パネルを設けた軒樋構造。
【請求項６】
前記鼻板に取り付けるレール状のボックス係止金具を設け、前記モジュールボックスの上部に前記係止部に係止される被係止部を設け、前記モジュールボックスを前記ボックス係止金具に弾性的に係止してなることを特徴とする請求項４記載の太陽電池パネルを設けた軒樋構造。
【請求項７】
前記軒樋と鼻板との間の空間であって、前記モジュールボックスが配置されていない空間に、内部に機能モジュールを有していないカバーボックスを配設することを特徴とする請求項４乃至請求項６のいずれかに記載の太陽電池パネルを設けた軒樋構造。
【請求項８】
前記機能モジュールに、前記太陽電池パネルから供給される電力を一時的に貯蔵する充電部を有してなることを特徴とする請求項４乃至請求項７のいずれかに記載の太陽電池パネルを設けた軒樋構造。
【請求項９】
前記機能モジュールに照明装置を有してなることを特徴とする請求項４乃至請求項８のいずれかに記載の太陽電池パネルを設けた軒樋構造。
【請求項１０】
前記機能モジュールに人体検知センサ及び警告発生装置を有してなることを特徴とする請求項４乃至請求項８に記載の軒樋構造。
【請求項１１】
前記機能モジュールに換気装置を有してなることを特徴とする請求項４乃至請求項８のいずれかに記載の太陽電池パネルを設けた軒樋構造。
【請求項１２】
前記機能モジュールに無線信号を発信する無線装置を有してなることを特徴とする請求項４乃至請求項１１のいずれかに記載の太陽電池パネルを設けた軒樋構造。
【発明の詳細な説明】
【０００１】
【発明の属する技術分野】
本発明は、太陽電池パネルを設けた軒樋構造に関するものである。
【０００２】
【従来の技術】
屋外に設置する太陽電池パネルは、通常、屋根上に取り付けることが一般的である。この場合、その電力を電力供給機器に供給するための電線が屋根上に露出して配置されることとなり、その結果、住宅外観が損なわれたり、電線の劣化を招くおそれがある。これに対するものとして、太陽電池パネルからの電線を軒樋内部に配置する配線構造が特開平９−１１９２０３号公報に、また、軒樋と鼻板との間の空間に電線の取り付ける構造が特開２０００−４５４６９号公報に開示されている。
【０００３】
【特許文献１】
特開平９−１１９２０３号公報（第２〜５頁、図１）
【０００４】
【特許文献２】
特開２０００−４５４６９号公報（第２〜８頁、図１）
【０００５】
【発明が解決しようとする課題】
前述した配線構造は、住宅外観を損なうことがなく、電線の劣化を抑制できるのであるが、屋根上の太陽電池パネルと軒先との間及び軒先と電力供給機器との間の配線工事は依然として必要である。ここで、電力供給機器が、軒先照明や人体検知センサを有する警告発生装置のような機能モジュールである場合でも、太陽電池パネルの設置工事、軒樋の取付け工事、機能モジュールの取付け工事に加えて、これらの間の配線工事が必要となる。
【０００６】
本発明は、かかる事由に鑑みてなしたもので、その目的とするところは、電力を供給するための配線工事が簡易化でき、全体の施工が容易な太陽電池パネルを設けた軒樋構造を提供することにある。
【０００７】
【課題を解決するための手段】
請求項１に係る発明の太陽電池パネルを設けた軒樋構造は、上面開口部を有する軒樋と、前記軒樋の上面開口部を覆うように配設される平板状の軒樋用カバーと、太陽電池パネルと、を有し、前記太陽電池パネルは前記軒樋用カバーの上方表面の所定面を覆うように取り付けてなることを特徴としている。
【０００８】
請求項２に係る発明の太陽電池パネルを設けた軒樋構造は、請求項１記載の構成であって、鼻板固定部と軒樋係止部と軒樋用カバー設置部と連結部とを有する軒樋用取付け金具を設け、前記軒樋係止部に軒樋を係止し、前記軒樋用カバー設置部に軒樋用カバーを設置し、前記鼻板固定部を躯体の鼻板に固定してなることを特徴としている。
【０００９】
請求項３に係る発明の太陽電池パネルを設けた軒樋構造は、請求項１又は請求項２に記載の構成であって、前記太陽電池パネルは、その表面に親水性コーティングが施されていることを特徴としている。
【００１０】
請求項４に係る発明の太陽電池パネルを設けた軒樋構造は、請求項１乃至請求項３に記載の構成であって、前記太陽電池パネルから電力の供給を受けて所定の機能を行う機能モジュールを内蔵するモジュールボックスを設け、前記モジュールボックスを軒樋と躯体の鼻板との間の空間に少なくともその一部が位置するよう配設してなることを特徴としている。
【００１１】
請求項５に係る発明の太陽電池パネルを設けた軒樋構造は、請求項４記載の構成であって、前記軒樋用取付け用金具の下部に係止部を設け、前記モジュールボックスの上部に前記係止部に係止される被係止部を設け、前記モジュールボックスを前記軒樋用取付け用金具に弾性的に係止してなることを特徴としている。
【００１２】
請求項６に係る発明の太陽電池パネルを設けた軒樋構造は、請求項４記載の構成であって、前記鼻板に取り付けるレール状のボックス係止金具を設け、前記モジュールボックスの上部に前記係止部に係止される被係止部を設け、前記モジュールボックスを前記ボックス係止金具に弾性的に係止してなることを特徴としている。
【００１３】
請求項７に係る発明の太陽電池パネルを設けた軒樋構造は、請求項４乃至請求項６に記載の構成であって、前記軒樋と鼻板との間の空間であって、前記モジュールボックスが配置されていない空間に、内部に機能モジュールを有していないカバーボックスを配設することを特徴としている。
【００１４】
請求項８に係る発明の太陽電池パネルを設けた軒樋構造は、請求項４乃至請求項７に記載の構成であって、前記機能モジュールに、前記太陽電池パネルから供給される電力を一時的に貯蔵する充電部を有してなることを特徴としている。
【００１５】
請求項９に係る発明の太陽電池パネルを設けた軒樋構造は、請求項４乃至請求項８に記載の構成であって、前記機能モジュールに照明装置を有してなることを特徴としている。
【００１６】
請求項１０に係る発明の太陽電池パネルを設けた軒樋構造は、請求項４乃至請求項８に記載の構成であって、前記機能モジュールに人体検知センサ及び警告発生装置を有してなることを特徴としている。
【００１７】
請求項１１に係る発明の太陽電池パネルを設けた軒樋構造は、請求項４乃至請求項８に記載の構成であって、前記機能モジュールに換気装置を有してなることを特徴としている。
【００１８】
請求項１２に係る発明の太陽電池パネルを設けた軒樋構造は、請求項４乃至請求項１１に記載の構成であって、前記機能モジュールに無線信号を発信する無線装置を有してなることを特徴としている。
【００１９】
【発明の実施の形態】
（実施形態１）
実施形態１を図１〜図３に基づいて説明する。図１は軒樋の構成品の斜視図である。１は軒樋であり、その形状は、例えば、最大幅が約１５０ｍｍ、高さが最大高さが約１３０ｍｍ、上面開口部の幅は約１００ｍｍであり、また、１個の長さは約４ｍである。この軒樋１は、通常は鉄板等の表面に塩化ビニル等の樹脂材料を被覆したものを用いる。
【００２０】
２は長尺平板の軒樋用カバーであり、形状は、例えば、幅が約７０ｍｍで、１個の長さは軒樋と同様の約４ｍである。この軒樋用カバー２も、軒樋１と同様、鉄板に樹脂材料を被覆したものを用いる。
【００２１】
３は太陽電池パネルであり、その形状は、軒樋用カバー２と略同様で、幅が約７０ｍｍ、長さが約４ｍで、高さは約２５ｍｍである。この太陽電池パネル３は、前記軒樋用カバー２の表面に略全体を覆うように取り付けられている。また、太陽電池パネル３を軒樋用カバー２に固定する方法としては、接着剤を用いる方法が有効である。これは、ねじを用いると、ねじ孔から軒樋用カバー２の鉄板の腐食が進行する恐れがあるためである。ここで、この太陽電池パネル３の出力は、日照条件や変換効率に依存するが、通常の市販品を使用すれば、１個当たりで約２５Ｗとなる。したがって、この電力のみで家庭用電力をまかなうには十分ではないが、後述する機能モジュール用電力を供給するには十分である。
【００２２】
次に、この軒樋１と軒樋用カバー２を鼻板６に取り付ける方法を図２及び図３に基づいて説明する。図２は軒樋１と軒樋用カバー２を鼻板６に取り付けるために用いる軒樋取付け用金具４の斜視図であり、図３は軒樋１及び軒樋用カバー２を鼻板６に軒樋取付け用金具４で固定した部分の断面図である。この軒樋取付け用金具４は、幅が約３０ｍｍであり、鼻板固定部４ａ、軒樋係止部４ｂ、軒樋用カバー設置部４ｃ、連結部４ｄとを有している。まず、鼻板固定部４ａをねじ止めすることにより、前記軒樋取付け金具を鼻板６に取り付ける。次に、軒樋１を弾性変形させて軒樋係止部４ｂに係止することで、軒樋１を軒樋取付け用金具４に取付ける。さらに、軒樋用カバー設置部４ｃの上部に、軒樋用カバー２を設置する。ここで、軒樋取付け用金具４は、軒樋１の中央部分（図１で示したＡの部分）に取り付けることで、軒樋１と軒樋用カバー２の安定を図っている。なお、このようにして取り付けられた軒樋用カバー２は、降雪地域では、屋根面に積もった雪がずり落ちて、軒樋１の内部に侵入することを防止する機能も併せて有している。
【００２３】
次に、複数の軒樋１ａ、１ｂ、１ｃ、１ｄの連結方法について、図１に基づいて説明する。同じ方向に連結される軒樋１ａと１ｂとは軒継手５１を介して接合し、あわせて継手用カバー５２を開口部上面に配置する。ここで、軒継手５１は、軒樋１ａと１ｂとは隙間をなくすように接着剤で固定する。一方、継手用カバー５２は、両側の軒樋カバー２ａ、２ｂと端部を嵌合することで固定する。また、屋根のコーナー部の外曲り側で連結される軒樋１ａと１ｃとは外曲り５３を介して接合し、あわせて外曲り用カバー５４を開口部上面に配置する。同様に、外曲り５３は、軒樋１ａと１ｃとは隙間をなくすように接着剤で固定し、外曲り用カバー５４は、両側の軒樋カバー２ａ、２ｃとは端部を嵌合することで固定する。さらに、屋根のコーナー部の内曲り側で連結される軒樋１ｂと１ｄとは内曲り５５を介して接合し、あわせて内曲り用カバー５６を開口部上面に配置する。同様に、内曲り５５は、軒樋１ｂと１ｄとは隙間をなくすように接着剤で固定し、外曲り用カバー５６は、両側の軒樋カバー２ｂ、２ｄとは端部を嵌合することで固定する。最後に、軒樋１ｃ、１ｄの終端部には、止まり５７ａ、５７ｂを取り付けるとともに、それぞれの上面開口部には、止まり用カバー５８ａ、５８ｂを取り付ける。ここでも、止まり５７ａ、５７ｂは、軒樋１ｃ、１ｄとは接着剤で固定し、止まり用カバー５８ａ、５８ｂは、軒樋用カバー２ｃ、２ｄと端部の嵌合により固定する。なお、これらの連結部や終端部の軒樋用カバーは、表面積も少ないために、原則として太陽電池パネルは取り付けない。
【００２４】
ここで、太陽電池パネル３は、すべての軒樋用カバー２に取り付けてもかまわない。しかし、費用のことを考慮すると、後述する機能モジュールに電力を供給できる分のみ太陽電池パネル３を取り付ければよく、他の軒樋には、必要に応じて、太陽電池パネルのない軒樋用カバーを設置すればよい。また、太陽電池パネル３を取り付ける軒樋用カバー２は、後述する機能モジュールを設置する場所、又は日当たりの良好な場所に設置することが望ましい。本実施形態では、軒樋カバー２ａ、２ｂの上面にのみ太陽電池パネル３を取り付けている。一方、太陽電池パネル３の電力供給の電線は、軒下を通って、軒樋１と鼻板６との間の空間に導かれ、後述する機能モジュールに接続されるか、又は必要に応じて屋内へと配線される。
【００２５】
本実施形態の太陽電池パネルの取付け構造では、工事は軒樋部分のみとなる。また、電線は軒樋と鼻板の間に配置されるので、外部に露出することがなくなる。さらに、太陽電池パネル３の表面に光触媒のような親水性のコーティングを施すことにより、表面に付着する汚れを自然に除去し長期間にわたって、安定した太陽電池パネルの発電効率を得ることができる。
【００２６】
（実施形態２）
実施形態２を図４〜図６に基づいて説明する。図４はモジュールボックス８の斜視図であり、図５は照明装置を有する機能モジュール７の斜視図である。最初に、機能モジュール７について説明する。機能モジュール７の主要部品は、充電部７１と照明装置であるＬＥＤ７２である。配線は本図では省略されているが、太陽電池パネルからの電力供給用の電線は、まず、充電部７１に接続され、さらに、充電部７１からＬＥＤ７２に接続されている。日中の明るいときには、太陽電池パネルで発電された電力を充電部７１に蓄る。ここで、充電部７１には、小型で貯蔵電流容量の大きなリチウム電池が適しているが、他の二次電池や電気二重層キャパシタンスを用いてもよい。夜間になって暗くなると、太陽電池パネル３では発電しなくなる。このときに、充電部７１に貯蔵した電力をＬＥＤ７２に供給して、軒下の照明をすることができる。照明装置をＬＥＤとしたのは、小型・高輝度・低消費電力・長寿命という利点を有しているためである。ただし、必要に応じて小型ランプ等の他の照明装置を用いてもよい。
【００２７】
また、外部の照度を検知する光センサと制御回路を機能モジュール７に付加することで、さらに効率的に照明をすることができる。例えば、付加した制御回路により、外部の照度が一定以上のときはＬＥＤ７２をＯＦＦして充電部に電力を貯蔵し、外部の照度が一定以下になったときにＬＥＤ７２をＯＮして、軒下の照明をする。このように、外部の照度が一定以下のときのみ充電部に貯蔵した電力を使用することで、ＬＥＤの照明時間を長くすることができる。
【００２８】
次に、図６に基づいて、前記機能モジュール７を内蔵するモジュールボックス８とその取付け方法について説明する。図６はモジュールボックス８を軒樋１と鼻板６の間の空間に取り付けた状態の断面図である。まず、モジュールボックス８は、例えば、ポリエチレン等の熱可塑性樹脂製であって、その形状は、例えば、幅が約１０ｍｍ、高さが約１０ｍｍ、長さが約１ｍである。また、底面部でＬＥＤ７２が配置されている場所８１のみが透明となっていて、軒下の照明ができるようになっている。上面には、後述する軒樋取付け金具の係止部に係止される凸形状の被係止部８ａが一体成形されている。一方、軒樋取付け用金具４の下部には、モジュールボックス８を係止するボックス係止部４１が取り付けられている。このボックス係止部４１の下端は凹部４１ａとなっていて、前述したモジュールボックスの被係止部８ａが挿入されると、凹部４１ａが弾性変形して、両者が嵌着することにより、モジュールボックス８が係止される。
【００２９】
本実施形態では、軒樋用カバー２に設置された太陽電池パネル３から供給される電力により、照明装置を有する機能モジュール８が機能する。したがって、配線を含む工事は軒樋のみであり、外部からの電力供給も不必要で、軒下を照明することができる。
【００３０】
（実施形態３）
実施形態３を図７に基づいて説明する。図７は警報装置を有する機能モジュール７の斜視図である。この機能モジュール７の主要部品は、充電部７１と人体検知ユニット７３とスピーカ７４等の警報発生装置である。人体検知ユニット７３には、焦電素子のような人体センサとスピーカ７４の電源をＯＮ／ＯＦＦさせる制御回路が組み込まれている。ここで、軒下を不審者が通ると人体センサ出力信号を出し、制御回路の動作により、スピーカ７４がＯＮして、警報音を発生する。この制御回路及びスピーカ７４を駆動する電力は、日中は太陽電池パネル３から、夜間は充電部７１から供給される。また、スピーカ７４の代りに無線装置を組み込み、人体検知センサからの出力があったときは、無線信号を発信して、屋内で受信して警報を発することもできる。
【００３１】
本実施形態では、軒樋用カバー２に設置された太陽電池パネル３から供給される電力により、警報装置を有する機能モジュール８が機能する。したがって、配線を含む工事は軒樋のみであり、外部からの電力供給も不必要で、軒下を通る不審者を検知し、警報を発することができる。
【００３２】
（実施形態４）
実施形態４を図８に基づいて説明する。図８は換気装置を有する機能モジュール７の斜視図である。この機能モジュール７の主要部品は、充電部７１と換気ファン７５とダクト７６である。換気ファン７５は、日中は太陽電池パネル３から、夜間は充電部７１から供給される電力により駆動される。また、ダクト７６は軒裏につながり、軒裏の空気を強制的に換気する。また、必要に応じて機能モジュールにタイマを組み込み、一定時間ごとに、換気ファン７５を駆動することもできる。
【００３３】
本実施形態では、軒樋用カバー２に設置された太陽電池パネル３から供給される電力により、換気装置を有する機能モジュール７が機能する。したがって、電気工事は軒樋のみであり、外部からの電力供給も不必要で、軒裏の換気をすることができる。
【００３４】
（実施形態５）
実施形態５は、実施形態２とは別の方法によるモジュールボックス８の固定方法である。実施形態５を図９及び図１０に基づいて説明する。図９はモジュールボックス８を取り付けるためのレール状のボックス係止金具４２の斜視図であり、図１０はモジュールボックス８を取り付けた状態の断面図である。
【００３５】
まず、４２は、レール状のボックス係止金具であり、下面にモジュールボックス８を係止する凹部４２ａを有している。このボックス係止金具４２の形状は、例えば、幅が約１０ｍｍ、高さが約５ｍｍ、長さはモジュールボックス８と同様の約１ｍである。これは、軒樋の後ろ耳部１１の横側に配置するように、鼻板６にねじ止めされる。このボックス係止金具４２の凹部４２ａにモジュールボックス８の上部に設けた凸形状のボックスの被係止部８ａを嵌着することで、モジュールボックス８が係止される。なお、本実施例では、モジュールボックス８の被係止部８ａが２部分からからなっていて、この被係止部８ａの方が嵌着する時に弾性変形する。
【００３６】
本実施形態では、長尺のボックス係止金具を用いているので、モジュールボックスをより安定に固定することができる。
【００３７】
【発明の効果】
請求項１に係る発明の太陽電池パネルを設けた軒樋構造は、上面開口部を有する軒樋と、前記軒樋の上面開口部を覆うように配設される平板状の軒樋用カバーと、太陽電池パネルと、を有し、前記太陽電池パネルは前記軒樋用カバーの上方表面の所定面を覆うように取り付けてなるので、工事が容易になるとともに、電線が軒樋と鼻板の間に配置されて外部に露出することがなくなるので、外観を損なうことがなくなる。
【００３８】
請求項２に係る発明の太陽電池パネルを設けた軒樋構造は、請求項１の構成において、鼻板固定部と軒樋係止部と軒樋用カバー設置部とを有する軒樋用取付け金具を設け、前記軒樋係止部に軒樋を係止し、前記軒樋用カバー設置部に軒樋用カバーを設置し、前記鼻板固定部を躯体の鼻板に固定してなるので、請求項１の効果に加え、軒樋と軒樋用カバーを同時に固定することが可能となり、部品点数を減少することができる。
【００３９】
請求項３に係る発明の太陽電池パネルを設けた軒樋構造は、請求項１又は請求項２の構成において、前記太陽電池パネルは、その表面に親水性コーティングが施されているので、請求項１又は請求項２のいずれかの効果に加え、表面に付着する汚れを自然に除去し、長期間にわたって安定した太陽電池パネルの発電効率を得ることができる。
【００４０】
請求項４に係る発明の太陽電池パネルを設けた軒樋構造は、請求項１乃至請求項３のいずれかの構成において、前記太陽電池パネルから電力の供給を受けて所定の機能を行う機能モジュールを内蔵するモジュールボックスを設け、前記モジュールボックスを軒樋と躯体の鼻板との間の空間に少なくともその一部が位置するよう配設してなるので、請求項１乃至請求項３のいずれかの効果に加え、外部から電力を供給することなく、機能モジュールの有する所定の機能を得ることができる。
【００４１】
請求項５に係る発明の太陽電池パネル取付け構造は、請求項４の構成において、前記軒樋用取付け用金具の下部に係止部を設け、前記モジュールボックスの上部に前記係止部に係止される被係止部を設け、前記モジュールボックスを前記軒樋用取付け用金具に弾性的に係止してなるので、請求項４の効果に加え、モジュールボックスの固定が容易となる。
【００４２】
請求項６に係る発明の太陽電池パネルを設けた軒樋構造は、請求項４の構成において、前記鼻板に取り付けるレール状のボックス係止金具を設け、前記モジュールボックスの上部に前記係止部に係止される被係止部を設け、前記モジュールボックスを前記ボックス係止金具に弾性的に係止してなるので、請求項４の効果に加え、モジュールボックスをより安定に固定することができる。
【００４３】
請求項７に係る発明の太陽電池パネルを設けた軒樋構造は、請求項４乃至請求項６のいずれかの構成において、前記軒樋と鼻板との間の空間であって、前記モジュールボックスが配置されていない空間に、内部に機能モジュールを有していないカバーボックスを配設するので、請求項４乃至請求項６のいずれかの効果に加え、外観を損なうことがなくなる。
【００４４】
請求項８に係る発明の太陽電池パネルを設けた軒樋構造は、請求項４乃至請求項７のいずれかの構成において、前記機能モジュールに、前記太陽電池パネルから供給される電力を一時的に貯蔵する充電部を有してなるので、請求項４乃至請求項７のいずれかの効果に加え、太陽電池パネルが発電していないときでも、所定の機能を得ることができる。
【００４５】
請求項９に係る発明の太陽電池パネルを設けた軒樋構造は、請求項４乃至請求項８のいずれかの構成において、前記機能モジュールに照明装置を有してなるので、請求項４乃至請求項８のいずれかの効果に加え、軒下を照明するという具体的な機能が得られる。
【００４６】
請求項１０に係る発明の太陽電池パネルを設けた軒樋構造は、請求項４乃至請求項８のいずれかの構成において、前記機能モジュールに人体検知センサ及び警告発生装置を有してなるので、請求項４乃至請求項８のいずれかの効果に加え、軒下を通る不審者を検知し、警報を発するという具体的な機能が得られる。
【００４７】
請求項１１に係る発明の太陽電池パネルを設けた軒樋構造は、請求項４乃至請求項８の構成にいずれかのおいて、前記機能モジュールに換気装置を有してなるので、請求項４乃至請求項８のいずれかの効果に加え、軒裏の換気をするという具体的な機能が得られる。
【００４８】
請求項１２に係る発明の太陽電池パネルを設けた軒樋構造は、請求項４乃至請求項１１のいずれかの構成において、前記機能モジュールに無線信号を発信する無線装置を有してなるので、請求項４乃至請求項１１のいずれかの効果に加え、屋内でも所定の機能を確認することができる。
【図面の簡単な説明】
【図１】実施形態１の軒樋の構成品の斜視図である。
【図２】実施形態１の軒樋取付け用金具の斜視図である。
【図３】実施形態１の軒樋と軒樋用カバーの取付け状態の断面図である。
【図４】実施形態２のモジュールボックスの斜視図である。
【図５】実施形態２の照明装置を有する機能モジュールの斜視図である。
【図６】実施形態２のモジュールボックスの取付け状態の断面図である。
【図７】実施形態３の警報装置を有する機能モジュールの斜視図である。
【図８】実施形態４の換気装置を有する機能モジュールの斜視図である。
【図９】実施形態５のレール状のボックス係止金具の斜視図である。
【図１０】実施形態５の軒樋と軒樋用カバーの取付け状態の断面図である。
【符号の説明】
１、１ａ、１ｂ、１ｃ、１ｄ　　　　軒樋
１１　　　軒樋の後ろ耳部
２、２ａ、２ｂ、２ｃ、２ｄ　　　　軒樋用カバー
３　　　　太陽電池パネル
４　　　　軒樋取付け用金具
４ａ　　　軒樋取付け用金具の鼻板固定部
４ｂ　　　軒樋取付け用金具の軒樋係止部
４ｃ　　　軒樋取付け用金具の軒樋用カバー設置部
４ｄ　　　軒樋取付け用金具の連結部
４１　　　ボックス係止部
４１ａ　　ボックス係止部の凹部
４２　　　ボックス係止金具
４２ａ　　ボックス係止金具の凹部
５１　　　軒継手
５２　　　軒継手用カバー
５３　　　外曲り
５４　　　外曲り用カバー
５５　　　内曲り
５６　　　内曲り用カバー
５７ａ、５７ｂ　　　止まり
５８ａ、５８ｂ　　　止まり用カバー
６　　　　鼻板
７１　　　充電部
７２　　　ＬＥＤ
７３　　　人体検知ユニット
７４　　　スピーカ
７５　　　換気ファン
７６　　　ダクト
８　　　　モジュールボックス
８１　　　モジュールボックス底面の透明部
８ａ　　　モジュールボックス上面の被係止部
Ａ　　　　軒樋取付け用金具の取付け場所
【図１】
2004143822.tif 000003
【図２】
2004143822.tif 000004
【図３】
2004143822.tif 000005
【図４】
2004143822.tif 000006
【図５】
2004143822.tif 000007
【図６】
2004143822.tif 000008
【図７】
2004143822.tif 000009
【図８】
2004143822.tif 000010
【図９】
2004143822.tif 000011
【図１０】
2004143822.tif 000012